(57)【要約】    【課題】      発呼側が利用可能な通信サービスと着呼側が利用可能な通信サービスとを判断の上、最も料金コストが安くなる相手特定番号を選択すること。    【解決手段】  相手の電話番号をＩＰ電話１０１のテンキー３０２から入力すると、入力された相手電話番号に基づいてＥＮＵＭサーバ１０３から相手のＩＰ電話１０２のＮＡＰＴＲレコードを取得する。そして、ＩＰ電話１０１は自己の利用可能な通信サービスとの関係で通話料金の安い順に前記ＮＡＰＴＲレコードの中から使用可能な特定番号を検索テーブルを利用して検索する。ＩＰ電話１０１は検索した特定番号を用いて相手のＩＰ電話１０２に対して発信する。  【選択図】      図６
2006109085.tif 000002
【特許請求の範囲】
【請求項１】
相手の電話番号を入力するダイアル手段と、入力された相手電話番号に基づいてＥＮＵＭサーバから相手のＮＡＰＴＲレコードを取得するデータ取得手段と、自己の利用可能な通信サービスとの関係で通話料金の安い順に前記ＮＡＰＴＲレコードの中から使用可能な特定番号を検索する検索手段と、検索した特定番号を用いて相手に発信する発信手段と、を具備したＩＰ電話装置。
【請求項２】
前記検索手段が最初の該当特定番号を検索したところで、前記発信手段が検索特定番号による発信処理を開始する請求項１記載のＩＰ電話装置。
【請求項３】
前記検索手段は、独自通信網による通信サービス、０５０番号体系による通信サービス、ＰＳＴＮ網による通信サービスの順に検索する請求項１又は請求項２記載のＩＰ電話装置。
【請求項４】
相手の電話番号を入力するステップと、入力された相手電話番号に基づいてＥＮＵＭサーバから相手のＮＡＰＴＲレコードを取得するステップと、自己の利用可能な通信サービスとの関係で通話料金の安い順に前記ＮＡＰＴＲレコードの中から使用可能な特定番号を検索するステップと、検索した特定番号を用いて相手に発信するステップと、を具備した通信サービス選択方法。
【発明の詳細な説明】
【技術分野】
【０００１】
本発明は、ＥＮＵＭ（tElephone NUmber Mapping)を利用したＩＰ電話システムに適用可能なＩＰ電話装置に関する。
【背景技術】
【０００２】
近年、電気通信事業者がインターネット網上にＶｏＩＰ網を構築して、そのＶｏＩＰ網上で登録会員の有するＩＰ電話装置同士を接続するサービスを実現している。また、電気通信事業者のＰＳＴＮ網（公衆回線網）とＶｏＩＰ網とを接続し、ＩＰ電話装置から遠隔地の一般電話機に対して発呼した場合にＶｏＩＰ網を経由して接続することで低料金の通話サービスを実現している。さらに、インターネット上では、電気通信事業者による０５０番号体系のＶｏＩＰ網の他にサービスプロバイダが独自通信網を構築して音声通話を初めとするマルチメディア通信サービスを提供している。この通信サービスを受けるためにサービスプロバイダと契約した場合も一般電話番号と同様に独自通信網上で加入者を特定する特定番号（数字に限定されない）が付与される。
【０００３】
以上のように、現在のＩＰ電話装置は、回線交換サービス（ＰＳＴＮ網）を利用する時に使用する一般電話番号の他に、インターネット網上で電気通信事業者が提供するＩＰ電話サービス（ＶｏＩＰ網）を利用するときの０５０電話番号や、インターネット網上でサービスプロバイダが提供する０５０番号体系以外の音声通話サービス（独自通信網）を利用するときの特定番号を持つことができる。
【０００４】
ユーザは、相手がどのような通信サービスを受けることができて各通信サービスを受けるための特定番号が何番であるのかを事前に把握することにより、最も通信料金が安くなる特定番号を選んでダイアルすることができる。
【０００５】
なお、ＬＣＲ機能（最低料金回線選択機能）を搭載した電話機が知られている（例えば特許文献１参照）。このＬＣＲ機能付き電話機は、相手先の電話番号からその時間帯における最も経済的な回線を選択するための情報を電話機の選択テーブルに書き込み、指定された電話番号から選択テーブルを参照して、最も経済的な回線を選択する。
【特許文献１】特開８−１３０５９４号公報
【発明の開示】
【発明が解決しようとする課題】
【０００６】
以上のように、１台のＩＰ電話装置で複数の特定番号を持つようになると、発呼側が利用可能な通信サービスと着呼側が利用可能な通信サービスとの組合せにより、最も料金コストの安い通信サービスの組合せが決まる。しかしながら、ユーザ個人が自己のＩＰ電話装置で利用可能な通信サービスを記憶しておくのみならず、相手のＩＰ電話装置で利用可能な通信サービスまで把握して最も料金コストの安い方法で相手のＩＰ電話装置に接続（発信）するのは困難である。なお、ＬＣＲ機能付き電話機は、発呼側及び着呼側双方の利用可能な通信サービスまで把握した上で最も経済的な回線を選択するものとはなっていない。
【０００７】
本発明は、以上のような実情に鑑みてなされたものであり、発呼側が利用可能な通信サービスと着呼側が利用可能な通信サービスとを判断の上、最も料金コストが安くなる相手特定番号を選択して発呼することのできるＩＰ電話装置を提供することを目的とする。
【課題を解決するための手段】
【０００８】
本発明は、相手の電話番号を入力するダイアル手段と、入力された相手電話番号に基づいてＥＮＵＭサーバから相手のＮＡＰＴＲレコードを取得するデータ取得手段と、自己の利用可能な通信サービスとの関係で通話料金の安い順に前記ＮＡＰＴＲレコードの中から使用可能な特定番号を検索する検索手段と、検索した特定番号を用いて相手に発信する発信手段と、を具備したＩＰ電話装置である。
【発明の効果】
【０００９】
本発明に係るＩＰ電話装置によれば、発呼側が利用可能な通信サービスと着呼側が利用可能な通信サービスとを判断の上、最も料金コストが安くなる相手特定番号を選択して発呼することができ、通信コストを低減することができる。
【発明を実施するための最良の形態】
【００１０】
本発明の第１の態様は、相手の電話番号を入力するダイアル手段と、入力された相手電話番号に基づいてＥＮＵＭサーバから相手のＮＡＰＴＲレコードを取得するデータ取得手段と、自己の利用可能な通信サービスとの関係で通話料金の安い順に前記ＮＡＰＴＲレコードの中から使用可能な特定番号を検索する検索手段と、検索した特定番号を用いて相手に発信する発信手段と、を具備したＩＰ電話装置である。
【００１１】
このように構成されたＩＰ電話装置によれば、ＥＮＵＭサーバから相手のＮＡＰＴＲレコードを取得することで、相手が利用可能な通信サービス及びその特定番号を得ることができ、自己の利用可能な通信サービスとの関係で通話料金の安い順に相手の通信サービスの中から使用可能な特定番号を検索することができる。したがって、その検索した通信サービスでの特定番号を使用して相手に発信すれば、最も料金コストが安くなる相手特定番号を選択して発呼することができ、通信コストを低減することができる。
【００１２】
本発明の第２の態様によれば、第１の態様のＩＰ電話装置において、前記検索手段が最初の該当特定番号を検索したところで、前記発信手段が検索特定番号による発信処理を開始する。
【００１３】
これにより、通話料金の安い順に検索をするので最初にヒットした特定番号が最も料金コストが安くなる相手特定番号となり、その時点で検索を終了することでより迅速に発信開始できると共に無駄な処理をカットできる。
【００１４】
以下、本発明の実施の形態について図面を参照して詳細に説明する。
【００１５】
図１は、本発明の一実施の形態に係るＩＰ電話システムが適用されるネットワークの構成を示す図である。
【００１６】
同図に示すように、複数台のＩＰ電話装置（以下、「ＩＰ電話」という）１０１及び１０２、ＥＮＵＭサーバ１０３、ＤＮＳサーバ１０４及びデータベースサーバとしてのＷｅｂサーバ１０５がＩＰネットワーク１０６を介して接続されている。ＩＰ電話１０１及び１０２はＩＰネットワーク１０６経由で通信可能なＩＰ端末の一例である。また、ＩＰ電話１０１はＰＳＴＮ網１０７に接続して一般電話機１０８と音声通話可能に構成されている。
【００１７】
ＩＰ電話１０１（１０２）は、Ｈ．３２３、Ｈ．２４８、ＳＩＰ(Session Initiation Protocol)等の呼制御プロトコルに基づいて他のＩＰ電話と呼又はセッションを確立後、ＩＰネットワーク１０６経由で音声通話が可能な機能を有している。また、ｈｔｔｐプロトコルに従ってＷｅｂサーバ１０５にアクセスし、Ｗｅｂサーバ１０５が提供するＨＴＭＬ文書を閲覧可能なブラウザ機能を有している。
【００１８】
ＥＮＵＭサーバ１０３は、後述するＮＡＰＴＲリソースレコード（以下、「ＮＡＰＴＲレコード」という）を登録するデータベース（ＤＢ）を備える。ＥＮＵＭサーバ１０３のＤＢには、ＩＰ端末のドメイン名毎に当該ＩＰ端末をＩＰネットワーク１０６上で特定する特定番号として１つ又は複数のＵＲＩがＮＡＰＴＲレコードの形式で登録されている。ＥＮＵＭサーバ１０３は、ＩＰ電話１０１（１０２）の問合せ（ＥＮＵＭクエリー）に応じて、かかるＤＢに登録されたＮＡＰＴＲレコードをＩＰ電話１０１（１０２）に返送する。
【００１９】
ＤＮＳサーバ１０４は、ＮＡＰＴＲレコードに指定されるＵＲＩとＩＰアドレスとが対応付けて登録されるＤＢを備える。ＤＮＳサーバ１０４は、ＩＰ電話１０１（１０２）からの問合せに応じて、ＵＲＩに対応したＩＰアドレスをＤＢから取り出してＩＰ電話１０１（１０２）に返送する。
【００２０】
Ｗｅｂサーバ１０５は、ＩＰネットワーク１０６に接続されたＩＰ電話１０１（１０２）の発信者を識別するための情報（以下、「発信者情報」という）が登録されるＤＢを備える。発信者情報には、例えば、発信者の電話番号（以下、「発信者番号」という）、氏名、住所、電子メールアドレス及び顔写真等の画像データが含まれる。発信者情報は、個人の情報に限定されず、法人の名称、電話番号、住所、電子メールアドレス及び宣伝情報を含むようにしてもよい。Ｗｅｂサーバ１０５は、着信を受けたＩＰ電話１０１（１０２）からの要求に応じてＤＢに登録された発信者情報をＩＰ電話１０１（１０２）に返送する。
【００２１】
図２は、本実施の形態に係るＩＰ電話１０１の構成を示すブロック図である。なお、ＩＰ電話１０２についても、ＩＰ電話１０１と同様の構成を有する。
【００２２】
ＩＰ電話１０１は、ＣＰＵ２０１がＲＯＭ２０２に格納したプログラムを読み込んで実行することにより、ＩＰ電話機能、ＦＡＸ機能、電子メール機能を初めとした各種の搭載機能を提供する。ＲＯＭ２０２はＩＰ電話機能、ＦＡＸ機能、電子メール機能等を提供するアプリケーションプログラムを格納する。なお、ＲＡＭ２０３はＣＰＵ２０１の作業エリアとなる。
【００２３】
ＩＰ電話１０１は、音声通話のためのマイク及びスピーカとなる音声入出力部２０４、発信番号及び着信番号を初めとした各種情報を表示する表示部２０５、テンキー、ボタン、ソフトスイッチ等で構成され入力部２０６を備える。また、ＦＡＸとして送信原稿をスキャンする読取部２０７、受信データを印刷する記録部２０８を備える。
【００２４】
ＩＰ電話１０１は、外部Ｉ／Ｆ制御部２０９を介してＰＳＴＮ網１０７並びにＩＰネットワーク１０６に接続可能に構成されている。外部Ｉ／Ｆ制御部２０９は、ＣＰＵ２０１からの制御によりＰＳＴＮ制御部２１１又はネットワーク制御部２１２に接続を切り換える。
【００２５】
ＣＰＵ２０１は、ＥＮＵＭサーバ１０３へ宛先端末に対応するＮＡＰＴＲレコードを問い合わせるＥＮＵＭクエリーの送出やそのＥＮＵＭクエリーに対する応答（ＥＮＵＭ応答）の受信、並びに、ＤＮＳサーバ１０４へＩＰアドレスを問い合わせるＩＰアドレス問合せの送出やそのＩＰアドレス問合せに対する応答（ＩＰアドレス応答）の受信の制御を行う。この場合、ネットワーク制御部２１２を介してＩＰネットワーク１０６に接続する。
【００２６】
表示部２０５は、ＬＣＤ等の液晶ディスプレイで構成される。表示部２０５は、本ＩＰ電話１０１の現在のステータスを表示すると共に、入力された電話番号等を表示する。また、Ｗｅｂサーバ１０５からダウンロードしたＨＴＭＬ文書を表示する。
【００２７】
図３は、本実施の形態に係るＩＰ電話１０１の外観を示す正面図である。なお、ＩＰ電話１０２についても、ＩＰ電話１０１と同様の構成を有する。
【００２８】
同図に示すように、ＩＰ電話１０１は、オペレータの音声を受け付ける受話器３０１を備えている。また、電話番号等を受け付けるテンキー３０２を備えている。さらに、テンキー３０２の右側に留守番電話に切り替える留守キー３０３及び音声を外部出力に切り替えるスピーカキー３０４を備えている。さらに、テンキー３０２の上側にワンタッチで発信可能なワンタッチ機能に代表される各種機能が設定可能なファンクションキー３０５を備えている。さらに、側面部にＩＰネットワーク１０６に接続されるＬＡＮとのインターフェイス（ＬＡＮＩ／Ｆ）３０６を備えている。
【００２９】
ファンクションキー３０５の上側に、液晶ディスプレイ等で構成される表示部２０５が設けられている。表示部２０５は、例えば、Ｗｅｂサーバ１０５からダウンロードした発信者情報（発信者番号や氏名など）が表示される。
【００３０】
図４は、本実施の形態に係るＩＰ電話システムにおけるＥＮＵＭサーバ１０３の代表的な構成を示すブロック図である。なお、ＤＮＳサーバ１０４やＷｅｂサーバ１０５についても、ＤＢに登録されるデータの内容が異なる他は、同様の構成を有する。
【００３１】
同図に示すように、ＥＮＵＭサーバ１０３は、サーバ本体の全体を制御するＣＰＵ４０１を備えている。このＣＰＵ４０１にメモリ４０２が接続されている。メモリ４０２は、ＣＰＵ４０１が読み込んで実行する本ＥＮＵＭサーバ１０３の制御プログラムが格納されるＲＯＭとしての機能と、ＣＰＵ４０１が制御プログラムを実行する際のワークメモリとして機能するＲＡＭとしての機能とを備える。
【００３２】
また、ＣＰＵ４０１にデータベース（ＤＢ）４０３が接続されている。ＤＢ４０３は、ＮＡＰＴＲレコードを登録している。ＣＰＵ４０１は、例えば、ＩＰ電話１０１からＥＮＵＭクエリーを受け付けると、ＤＢ４０３に登録されたデータから該当するＮＡＰＴＲレコードを検索してＥＮＵＭクエリーを送出してきたＩＰ電話１０１に返送する。
【００３３】
さらに、ＣＰＵ４０１に入出力装置４０４が接続されている。入出力装置４０４は、例えば、キーボード等の入力装置と、ディスプレイ等の出力装置とから構成される。入力装置は、例えば、ＤＢ４０３に登録されるデータの内容を追加、編集する場合に利用される。出力装置は、例えば、ＤＢ４０３に登録されるデータの内容をＥＮＵＭサーバ１０３の管理者等が確認する場合に利用される。
【００３４】
さらに、ＣＰＵ４０１にネットワークインターフェイス（Ｉ／Ｆ）４０５が接続されている。ネットワークＩ／Ｆ４０５は、本ＥＮＵＭサーバ１０３が接続されるＩＰネットワーク１０６とのインターフェイスである。
【００３５】
図５は、本実施の形態に係るＥＮＵＭサーバ１０３のＤＢ４０３に登録されたＮＡＰＴＲレコードの一例を示す図である。同図においては、電話番号「０３１０００００００」及び「０３１００００００１」から得られるドメイン名に対応するＮＡＰＴＲレコードが登録された場合について示している。
【００３６】
同図においては、電話番号「０３１０００００００」から得られるドメイン名「０．０．０．０．０．０．０．１．３．１．８．ｅ１６４．ａｒｐａ」に対してＵＲＩ「８１３１０００００００＠ｔｏｋｙｏ．ｓｉｐ．ｊｐ」及び「／／ｗｗｗ．ｔｏｋｙｏ．ｓｉｐ．ｃｏｍ／ｕｓｅｒ８１３１０００００００．ｈｔｍｌ」が対応付けられている。前者のＳｅｒｖｉｃｅフィールドにはＳＩＰプロトコルに対応可能であることを示す「Ｅ２Ｕ＋ｓｉｐ」と記述され、後者のＳｅｒｖｉｃｅフィールドにはｈｔｔｐプトロコルに対応可能である旨を示す「Ｅ２Ｕ＋ｈｔｔｐ」と記述されている。
【００３７】
また、電話番号「０３１００００００１」から得られるドメイン名「１．０．０．０．０．０．０．１．３．１．８．ｅ１６４．ａｒｐａ」に対してＵＲＩ「８１３１００００００１＠ｔｏｋｙｏ．ｍａｉｌ．ｊｐ」及び「／／ｗｗｗ．ｔｏｋｙｏ．ｓｉｐ．ｃｏｍ／ｕｓｅｒ８１３１００００００１．ｈｔｍｌ」が対応付けられている。前者のＳｅｒｖｉｃｅフィールドにはＳＩＰプロトコルに対応可能であることを示す「Ｅ２Ｕ＋ｓｉｐ」と記述され、後者のＳｅｒｖｉｃｅフィールドにはｈｔｔｐプトロコルに対応可能である旨を示す「Ｅ２Ｕ＋ｈｔｔｐ」と記述されている。
【００３８】
次に、本実施の形態に係るＩＰ電話システムにおいて、ＩＰ電話１０１がＩＰ電話１０２と通話を行うまでの動作について、図６のフロー図を用いて説明する。
【００３９】
なお、かかる動作を説明する前提として、ＥＮＵＭサーバ１０３のＤＢ４０３には相手のＩＰ電話１０２のＮＡＰＴＲレコードとして図７に示すＮＡＰＴＲレコードが登録されているものとする。
【００４０】
ＩＰ電話１０１がＩＰ電話１０２と通話を行う場合、オペレータからＩＰ電話１０２の一般電話番号（ＰＳＴＮ網）が入力される。ＩＰ電話１０１は、オペレータからＩＰ電話１０２の一般電話番号（ＰＳＴＮ網）が入力された後（Ｓ１００）、ＮＡＰＴＲレコードの取得処理が実行される（Ｓ１０２）。すなわち、電話番号「０４５５４４５×××」が入力された後、ＥＮＵＭクエリーの送出が指示される。
【００４１】
ＩＰ電話１０１は、電話番号を受け付けた後、ＥＮＵＭクエリーの送出指示を受け付けると、この電話番号に対応するＮＡＰＴＲレコードを問い合わせるＥＮＵＭクエリーをＥＮＵＭサーバ１０３に対して送出する。この場合、ＩＰ電話１０１は、まず、オペレータが入力した「０４５５４４５×××」を国番号付きのＥ．１６４番号である「＋８１−４−５５４４５×××」に変換し、先頭の＋と数字を残して「＋８１４５５４４５×××」とする。そして、数字以外の文字を抹消して数字間にドットを挿入して「８．１．４．５．５．４．４．５．×．×．×」とする。次に、数字を逆順にして最後に文字列．ｅ１６４．ａｒｐａを追加する。これにより、ドメイン名である「×．×．×．５．４．４．５．５．４．１．８．ｅ１６４．ａｒｐａ」を得て、この文字列に対応するＮＡＰＴＲレコードを問い合わせるＥＮＵＭクエリーを送出する。
【００４２】
ＥＮＵＭクエリーを受け付けると、ＥＮＵＭサーバ１０３は、ドメイン名である「×．×．×．５．４．４．５．５．４．１．８．ｅ１６４．ａｒｐａ」に対応するＮＡＰＴＲレコードを検索し、当該ＮＡＰＴＲレコードを含むＥＮＵＭ応答をＩＰ電話１０１に返信する。このＥＮＵＭ応答がＩＰ電話１０１に返信されることで、相手のＩＰ電話１０２が独自通信網による通信サービス（SIP.aaaa.com）、０５０番号体系のＶｏＩＰ網による通信サービス(VoIP.bbbb.com)、ＰＳＴＮ網による通信サービス（81455445×××）を利用可能であること、それら各通信サービスを利用する場合の特定番号（sip:info@sip.aaaa.com、sip:05012345678@Voip.bbbb.com、tel:045-544-5×××）を取得することができる。
【００４３】
ＩＰ電話１０１は、相手のＩＰ電話１０２が利用可能な通信サービスを取得したら、自己の利用可能な通信サービスを料金の安い順に並べた検索テーブルを利用して、相手のＩＰ電話１０２と通話する場合に最も安い料金となる通信サービスを判断する。ここで、発呼側のＩＰ電話１０１は、独自通信網（sip.aaaa.com）による通信サービス、０５０番号体系のＶｏＩＰ網による通信サービス、ＰＳＴＮ網による通信サービスの３つが音声通信サービスとして登録されているものとする。
【００４４】
ＩＰ電話１０１は、最初に相手のＩＰ電話１０２が独自通信網（sip.aaaa.com）による通信サービスを利用可能であるか否かチェックする（Ｓ１０３）。これは、特定のサービスプロバイダが独自通信網内において通話料無料でＩＰ電話サービスを提供していることを前提としている。このような場合、相手が同じサービスプロバイダと契約していて当該独自通信網を利用可能で有れば、当該独自通信網内では無料音声通話が可能である。
【００４５】
本例では、図７に示すように、相手のＩＰ電話１０２のＮＡＰＴＲレコードに独自通信網による通信サービス（sip.aaaa.com）が登録されている。発呼側のＩＰ電話１０１も同じ独自通信網に加入しているので、図６におけるステップＳ１０３でＹＥＳの結論となる。この結果、ステップＳ１０６へ分岐して独自通信網のＵＲＩ「sip:info@sip.aaaa.com」をダイアル情報として設定する（Ｓ１０６）。そして、相手のＩＰ電話１０２のＵＲＩ「sip:info@sip.aaaa.com」を発信先として発信処理する（Ｓ１０８）。
【００４６】
また、相手のＩＰ電話１０２のＮＡＰＴＲレコードに発呼側のＩＰ電話１０１も同じ独自通信網のＵＲＩが登録されていない場合は、ステップＳ１０４で移行して自己が利用可能な０５０番号体系のＩＰ電話番号が登録されているか否か判断する（Ｓ１０４）。同じ電気通信事業者の０５０番号体系のＩＰ電話番号を持つ場合には通話料は無料になる可能性があり、異なる電気通信事業者の０５０番号体系のＩＰ電話番号であっても一般的にＰＳＴＮ網経由の通話よりも料金を安くすることができる可能性がある。そこで、０５０番号体系のＩＰ電話番号が登録されている場合は、ステップＳ１０７へ移行して相手のＩＰ電話１０２の０５０番号体系のＩＰ電話番号である「05012345678」をダイアル情報として設定する（Ｓ１０７）。そして、相手のＩＰ電話１０２のＩＰ電話番号「05012345678」を発信先として発信処理する（Ｓ１０８）。
【００４７】
さらに、相手のＩＰ電話１０２のＮＡＰＴＲレコードに、同じ独自通信網のＵＲＩも０５０番号体系のＩＰ電話番号も登録されていない場合は、ステップＳ１０５へ移行して、Ｓ１００で入力されたＰＳＴＮ網の一般電話番号「０４５５４４５×××」をダイアル情報として設定する（Ｓ１０５）。そして、相手のＩＰ電話１０２の一般電話番号「０４５５４４５０６５」を発信先として発信処理する（Ｓ１０８）。
【００４８】
ステップＳ１０６で設定したダイアル情報に基づいて発信した場合、ＤＮＳサーバ１０４に対してＵＲＩ「sip:info@sip.aaaa.com」に対応するＩＰアドレスを問い合わせる。そして、ＤＮＳサーバ１０４から返信された相手のＩＰ電話１０２のＩＰアドレスに対して接続する。または、独自通信網を運営するプロバイダのＳＩＰサーバに相手のＩＰ電話１０２のＵＲＩ「sip:info@sip.aaaa.com」を発信先としたＩＮＶＩＴＥリクエストを送信する。これによりＳＩＰサーバ経由でシグナリングが開始される。
【００４９】
また、ステップＳ１０７で設定したダイアル情報に基づいて発信した場合、契約している電気通信事業者のＶｏＩＰ網に対してＩＰ電話番号「05012345678」を発信先としてＩＮＶＩＴＥリクエストを送信する。これにより電気通信事業者のＶｏＩＰ網経由でシグナリングが開始される。
【００５０】
また、ステップＳ１０５で設定したダイアル情報に基づいて発信した場合、ＰＳＴＮ網１０７の交換機に対して一般電話番号「０４５５４４５×××」を発信先として呼制御を開始する。
【００５１】
このように、ＩＰ電話１０１において相手のＩＰ電話１０２のＮＡＰＴＲレコードを取得し、相手ＩＰ電話１０２のＮＡＰＴＲレコードの最上位（優先順位が最も高いＵＲＩ）にあるものに発信するのではなく、自己の検索テーブルと照合の上で互いの利用可能な通信サービスを考慮してその中からもっと通信料金が低くなりそうな特定番号を選択するようにしたので、ユーザが個別に相互の通信サービスを把握することなく、通信コストを低減することができる。なお、検索テーブルにおける検索順位はユーザが任意に書き換えることができるようにしても良い。
【００５２】
また、通話料金の安い順に検索をするので最初にヒットした特定番号が最も料金コストが安くなる相手特定番号となり、その時点で検索を終了することでより迅速に発信開始できると共に無駄な処理をカットできる。
【００５３】
なお、以上の説明では料金の安い順の検索テーブルとして、独自通信網（１つ）、０５０番号体系のＶｏＩＰ網（１つ）、ＰＳＴＮ網（１つ）の順番に検索するものを例示したが、本発明はこのようなものに限定されるものではない。発呼側で利用可能な通信サービスと着呼側で利用可能な通信サービスとの組合せにより料金の安い順番は変動するので、現状とは異なる形態の通信サービスが登場すれば、それに応じて検索順は変動する可能性がある。図６に示す順番の検索テーブルは現状の料金体系を良く反映しているが、あくまで一例である。
【産業上の利用可能性】
【００５４】
本発明に係るＩＰ電話装置によれば、発呼側が利用可能な通信サービスと着呼側が利用可能な通信サービスとを判断の上、最も料金コストが安くなる相手特定番号を選択して発呼するＩＰ電話装置に適用可能であり、通信コストを低減できる点で有用である。
【図面の簡単な説明】
【００５５】
【図１】本発明の一実施の形態に係るＩＰ電話システムが適用されるネットワークの構成を示す図
【図２】上記実施の形態に係るＩＰ電話システムを構成するＩＰ電話の構成を示すブロック図
【図３】上記実施の形態に係るＩＰ電話の外観を示す正面図
【図４】上記実施の形態に係るＩＰ電話システムにおけるＥＮＵＭサーバの代表的な構成を示すブロック図
【図５】上記実施の形態に係るＥＮＵＭサーバのＤＢに登録されたＮＡＰＴＲレコードの一例を示す図
【図６】上記実施の形態に係るＩＰ電話装置の動作内容を示すフロー図
【図７】上記実施の形態において相手ＩＰ電話のＮＡＰＴＲレコードの一例を示す図
【符号の説明】
【００５６】
１０１、１０２  ＩＰ電話
１０３  ＥＮＵＭサーバ
１０４  ＤＮＳサーバ
１０５  Ｗｅｂサーバ
１０６  ＩＰネットワーク
１０７  ＰＳＴＮ網
１０８  一般電話機
２０１  ＣＰＵ
２０２  ＲＯＭ
２０３  ＲＡＭ
２０４  音声入出力部
２０５  表示部
２０６  入力部
２０７  読取部
２０８  記録部
２０９  外部Ｉ／Ｆ制御部
２１１  ＰＳＴＮ制御部
２１２  ネットワーク制御部
【図１】
2006109085.tif 000003
【図２】
2006109085.tif 000004
【図３】
2006109085.tif 000005
【図４】
2006109085.tif 000006
【図５】
2006109085.tif 000007
【図６】
2006109085.tif 000008
【図７】
2006109085.tif 000009